(57)【要約】【要約書】本開示は、概して、ワイヤレス通信に関し、より詳細には、動的な時間ドメイン複信（ＴＤＤ）サブフレーム構成のための方法および装置に関する。【選択図】図１１
2017510175.tif 000002
【特許請求の範囲】
【請求項１】
基地局（ＢＳ）によるワイヤレス通信のための方法であって、
トラフィック負荷に基づいて動的なアップリンクおよびダウンリンクサブフレーム構成およびキャリアアグリゲーション（ＣＡ）をサポートするシステム中のユーザ機器（ＵＥ）との通信に参加することと、
プライマリコンポーネントキャリア（ＰＣＣ）上の通信のための第１のサブフレーム構成で前記ＵＥを構成すること、ここにおいて、前記第１のサブフレーム構成は、サブフレーム構成の第１のセットから選択される、と、
第２のコンポーネントキャリア（ＳＣＣ）上の通信のための第２のサブフレーム構成で前記ＵＥを構成すること、ここにおいて、前記第２のサブフレーム構成は、前記サブフレーム構成の第１のセット中の任意のサブフレーム構成よりも多数の、アップリンクサブフレームとして指定されるサブフレームを持つ少なくとも１つのアップリンク重サブフレーム構成を含むサブフレーム構成の第２のセットから選択される、と
を備える、方法。
【請求項２】
前記第２のサブフレーム構成は、アップリンクサブフレームとしてすべてのサブフレームを指定する、
請求項１に記載の方法。
【請求項３】
前記第２のサブフレーム構成は、１つのダウンリンクサブフレームと、１つの特別なサブフレームを指定し、それらの後に８つのサブフレームが続く、
請求項１に記載の方法。
【請求項４】
前記ＰＣＣは、周波数分割複信（ＦＤＤ）通信のために利用され、前記ＳＣＣは、時分割複信（ＴＤＤ）通信のために利用される、
請求項１に記載の方法。
【請求項５】
前記ＳＣＣ中の物理ダウンリンク共有チャネル（ＰＤＳＣＨ）のためのタイミングは、ＰＣＣ中の基準サブフレーム構成に基づく一方、前記ＳＣＣ中の物理アップリンク共有チャネル（ＰＵＳＣＨ）のためのタイミングは、ＳＣＣ中の基準サブフレーム構成に基づく、
請求項４に記載の方法。
【請求項６】
前記ＰＣＣおよびＳＣＣの両方は、時分割複信（ＴＤＤ）通信ために利用される、
請求項１に記載の方法。
【請求項７】
前記ＳＣＣ中の物理ダウンリンク共有チャネル（ＰＤＳＣＨ）または物理アップリンク共有チャネル（ＰＵＳＣＨ）のうちの少なくとも１つのためのタイミングに対する第１のメカニズムは、前記サブフレーム構成の第１のセットからのサブフレーム構成が前記ＳＣＣ上の通信のために選択される場合に使用され、
前記ＳＣＣ中のＰＤＳＣＨまたはＰＵＳＣＨのうちの少なくとも１つのためのタイミングに対する第２のメカニズムは、前記第２のサブフレーム構成が前記ＳＣＣ上の通信ために選択される場合に使用される、
請求項１に記載の方法。
【請求項８】
前記第２のメカニズムは、前記ＰＣＣ上のシステム情報ブロック（ＳＩＢ）中でシグナルされる基準サブフレーム構成に基づく、
請求項７に記載の方法。
【請求項９】
前記第２のメカニズムは、前記第１のメカニズムに関連した基準サブフレーム構成よりも多くの数のＵＬ  ＳＦを持つ基準サブフレーム構成に基づく、
請求項７に記載の方法。
【請求項１０】
前記第２のサブフレーム構成は、少なくとも４ビット  Ｌ１再構成シグナリングを介してシグナルされる、
請求項１に記載の方法。
【請求項１１】
基準サブフレーム構成セットは、前記サブフレーム構成の第１のセットまたは前記サブフレーム構成の第２のセットのうちの少なくとも１つのサブセットを備える、
請求項１に記載の方法。
【請求項１２】
前記サブセットは、無線リソース制御（ＲＣＣ）シグナリングを介して半静的にシグナルされる、
請求項１１に記載の方法。
【請求項１３】
物理ダウンリンク共有チャネル（ＰＤＳＣＨ）または物理アップリンク共有チャネル（ＰＵＳＣＨ）のうちの少なくとも１つのためのタイミングは、前記サブセットに基づく、
請求項１１に記載の方法。
【請求項１４】
ユーザ機器（ＵＥ）によるワイヤレス通信ための方法であって、
トラフィック負荷に基づいて動的なアップリンクおよびダウンリンクサブフレーム構成およびキャリアアグリゲーション（ＣＡ）をサポートするシステム中の基地局（ＢＳ）との通信に参加することと、
プライマリコンポーネントキャリア（ＰＣＣ）上の通信のための第１のサブフレーム構成で前記ＵＥを構成すること、ここにおいて、前記第１のサブフレーム構成は、サブフレーム構成の第１のセットから選択される、と、
第２のコンポーネントキャリア（ＳＣＣ）上の通信のための第２の基準サブフレーム構成で前記ＵＥを構成すること、ここにおいて、前記第２のサブフレーム構成は、前記サブフレーム構成の第１のセット中の任意のサブフレーム構成よりも多数の、アップリンクサブフレームとして指定されるサブフレームを持つ少なくとも１つのアップリンク重サブフレーム構成を含むサブフレーム構成の第２のセットから選択される、と
を備える、方法。
【請求項１５】
前記第２のサブフレーム構成は、アップリンクサブフレームとしてすべてのサブフレームを指定する、
請求項１４に記載の方法。
【請求項１６】
前記第２のサブフレーム構成は、１つのダウンリンクサブフレームと、１つの特別なサブフレームを指定し、それらの後に８つのサブフレームが続く、
請求項１４に記載の方法。
【請求項１７】
前記ＰＣＣは、周波数分割複信（ＦＤＤ）通信のために利用され、前記ＳＣＣは、時分割複信（ＴＤＤ）通信のために利用される、
請求項１４に記載の方法。
【請求項１８】
前記ＳＣＣ中の物理ダウンリンク共有チャネル（ＰＤＳＣＨ）のためのタイミングは、ＰＣＣ中の基準サブフレーム構成に基づく一方、前記ＳＣＣ中の物理アップリンク共有チャネル（ＰＵＳＣＨ）のためのタイミングは、ＳＣＣ中の基準サブフレーム構成に基づく、
請求項１７に記載の方法。
【請求項１９】
前記ＰＣＣおよびＳＣＣの両方は、時分割複信（ＴＤＤ）通信ために利用される、
請求項１４に記載の方法。
【請求項２０】
前記ＳＣＣ中の物理ダウンリンク共有チャネル（ＰＤＳＣＨ）または物理アップリンク共有チャネル（ＰＵＳＣＨ）のうちの少なくとも１つのためのタイミングに対する第１のメカニズムは、前記サブフレーム構成の第１のセットからのサブフレーム構成が前記ＳＣＣ上の通信のために選択される場合に使用され、
前記ＳＣＣ中のＰＤＳＣＨまたはＰＵＳＣＨのうちの少なくとも１つのためのタイミングに対する第２のメカニズムは、前記第２のサブフレーム構成が前記ＳＣＣ上の通信ために選択される場合に使用される、
請求項１４に記載の方法。
【請求項２１】
前記第２のメカニズムは、前記ＰＣＣ上のシステム情報ブロック（ＳＩＢ）中でシグナルされる基準サブフレーム構成に基づく、
請求項２０に記載の方法。
【請求項２２】
前記第２のメカニズムは、前記第１のメカニズムに関連した基準サブフレーム構成よりも多くの数のＵＬ  ＳＦを持つ基準サブフレーム構成に基づく、
請求項２０に記載の方法。
【請求項２３】
前記第２のサブフレーム構成は、少なくとも４ビット  Ｌ１再構成シグナリングを介してシグナルされる、
請求項１４に記載の方法。
【請求項２４】
基準サブフレーム構成セットは、前記サブフレーム構成の第１のセットまたは前記サブフレーム構成の第２のセットのうちの少なくとも１つのサブセットを備える、
請求項１４に記載の方法。
【請求項２５】
前記サブセットは、無線リソース制御（ＲＣＣ）シグナリングを介して半静的にシグナルされる、
請求項２４に記載の方法。
【請求項２６】
物理ダウンリンク共有チャネル（ＰＤＳＣＨ）または物理アップリンク共有チャネル（ＰＵＳＣＨ）のうちの少なくとも１つのためのタイミングは、前記サブセットに基づく、
請求項２４に記載の方法。
【請求項２７】
ワイヤレス通信のための装置であって、
トラフィック負荷に基づいて動的なアップリンクおよびダウンリンクサブフレーム構成およびキャリアアグリゲーション（ＣＡ）をサポートするシステム中のユーザ機器（ＵＥ）との通信に参加するための手段と、
プライマリコンポーネントキャリア（ＰＣＣ）上の通信のための第１のサブフレーム構成で前記ＵＥを構成するための手段、ここにおいて、前記第１のサブフレーム構成は、サブフレーム構成の第１のセットから選択される、と、
第２のコンポーネントキャリア（ＳＣＣ）上の通信のための第２のサブフレーム構成で前記ＵＥを構成するための手段、ここにおいて、前記第２のサブフレーム構成は、前記サブフレーム構成の第１のセット中の任意のサブフレーム構成よりも多数の、アップリンクサブフレームとして指定されるサブフレームを持つ少なくとも１つのアップリンク重サブフレーム構成を含むサブフレーム構成の第２のセットから選択される、と
を備える、装置。
【請求項２８】
ワイヤレス通信のための装置であって、
トラフィック負荷に基づいて動的なアップリンクおよびダウンリンクサブフレーム構成およびキャリアアグリゲーション（ＣＡ）をサポートするシステム中の基地局（ＢＳ）との通信に参加することと、
プライマリコンポーネントキャリア（ＰＣＣ）上の通信のための第１のサブフレーム構成で前記ＵＥを構成すること、ここにおいて、前記第１のサブフレーム構成は、サブフレーム構成の第１のセットから選択される、と、
第２のコンポーネントキャリア（ＳＣＣ）上の通信のための第２の基準サブフレーム構成で前記ＵＥを構成すること、ここにおいて、前記第２のサブフレーム構成は、前記サブフレーム構成の第１のセット中の任意のサブフレーム構成よりも多数の、アップリンクサブフレームとして指定されるサブフレームを持つ少なくとも１つのアップリンク重サブフレーム構成を含むサブフレーム構成の第２のセットから選択される、と
を備える、装置。
【発明の詳細な説明】
【優先権の主張】
【０００１】
[0001]特許のための本特許出願は、２０１４年２月２０日に出願された、国際出願第ＰＣＴ／ＣＮ２０１４／０７２２９５号の優先権を主張し、本願の譲受人に譲渡され、参照によって本願明細書に明確に組み込まれる。
【技術分野】
【０００２】
[0002]本開示は概して、ワイヤレス通信に関し、より具体的には、時間ドメイン複信（ＴＤＤ）サブフレーム構成のための方法および装置に関する。
【背景技術】
【０００３】
[0003]ワイヤレス通信システムは、電話通信、映像、データ、メッセージング、およびブロードキャストのような様々な電気通信サービスを提供するために広く展開されている。典型的なワイヤレス通信システムは、利用可能なシステムリソース（例えば、帯域幅、送信電力）を共有することによって多数のユーザとの通信をサポートすることが可能な多元接続技術を用い得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、種々のワイヤレスデバイスが都市、国家、地域、および地球全体までものレベルで通信することを可能にする共通プロトコルを提供するために、様々な電気通信規格において採用されてきた。新興の電気通信規格の例は、ロングタームエボリューション（ＬＴＥ（登録商標））である。ＬＴＥ／ＬＴＥアドバンストは、第３世代パートナーシッププロジェクト（３ＧＰＰ（登録商標））によって公表されたユニバーサルモバイルテレコミュニケーションシステム（ＵＭＴＳ）のモバイル規格を強化したもののセットである。それは、スペクトル効率を改善することによってモバイルブロードバンドインターネットアクセスをより良くサポートし、コストを下げ、サービスを改善し、新たなスペクトルを利用し、ダウンリンク（ＤＬ）上においてＯＦＤＭＡを、アップリンク（ＵＬ）上においてＳＣ−ＦＤＭＡを、そして多入力多出力（ＭＩＭＯ）アンテナ技術を使用して、他のオープン規格とより良く統合するように設計されている。しかしながら、モバイルブロードバンドアクセスに対する需要が増加し続けるにつれて、ＬＴＥ技術における更なる改善の必要性が存在する。好ましくは、これらの改善は、他の多元接続技術およびこれらの技術を用いる電気通信規格に適用可能であるべきである。
【発明の概要】
【０００５】
[0005]本開示のある特定の態様は、基地局によるワイヤレス通信のための方法を提供する。方法は概して、トラフィック負荷に基づく、動的アップリンクおよびダウンリンクサブキャリア構成と、キャリアアグリゲーション（ＣＡ）とをサポートするシステムにおけるユーザ機器（ＵＥ）との通信に参加することと、プライマリコンポーネントキャリア（ＰＣＣ）上の通信のための第１の基準サブフレーム構成でＵＥを構成すること、ここにおいて、第１のサブフレーム構成は、サブフレーム構成の第１のセットから選択される、と、セカンダリコンポーネントキャリア（ＳＣＣ）上の通信のための第２の基準サブフレーム構成でＵＥを構成すること、ここにおいて、第２の基準サブフレーム構成は、サブフレーム構成の第１セット中の任意の基準サブフレーム構成よりも多数の、アップリンクサブフレームとして指定されるサブフレームを有する、とを含む。
【０００６】
[0006]本開示のある態様は、ユーザ機器によってワイヤレス通信のための方法を提供する。方法は概して、トラフィック負荷に基づく、動的アップリンクおよびダウンリンクサブフレーム構成と、キャリアアグリゲーション（ＣＡ）とをサポートするシステムにおける基地局（ＢＳ）との通信に参加することと、プライマリコンポーネントキャリア（ＰＣＣ）上の通信のための第１の基準サブフレーム構成でＵＥを構成するシグナリングを受信すること、ここにおいて、第１のサブフレーム構成は、サブフレーム構成の第１のセットから選択される、と、セカンダリコンポーネントキャリア（ＳＣＣ）上の通信のための第２の基準サブフレーム構成でＵＥを構成するシグナリングを受信すること、ここにおいて、第２の基準サブフレーム構成は、サブフレーム構成の第１セット中の任意の基準サブフレーム構成よりも多数の、アップリンクサブフレームとして指定されるサブフレームを有する、とを含む。
【０００７】
[0007]本開示のある態様はワイヤレス通信のための装置を提供する。装置は概して、トラフィック負荷に基づく、動的アップリンクおよびダウンリンクサブフレーム構成と、キャリアアグリゲーション（ＣＡ）とをサポートするシステムにおけるユーザ機器（ＵＥ）との通信に参加するための手段と、プライマリコンポーネントキャリア（ＰＣＣ）上の通信のための第１のサブフレーム構成でＵＥを構成するための手段、ここにおいて、第１のサブフレーム構成は、サブフレーム構成の第１のセットから選択される、と、セカンダリコンポーネントキャリア（ＳＣＣ）上の通信のための第２のサブフレーム構成でＵＥを構成するための手段、ここにおいて、第２のサブフレーム構成は、サブフレーム構成の第１セットにおける任意のサブフレーム構成よりも多数の、アップリンクサブフレームとして指定される、サブフレームを持つ少なくとも１つのアップリンク重サブフレームを含むサブフレーム構成の第２のセットから選択される、とを含む。
【０００８】
[0008]本開示のある態様は、ワイヤレス通信のための装置を提供する。装置は概して、トラフィック負荷に基づいて、動的アップリンクおよびダウンリンクサブフレーム構成と、キャリアアグリゲーション（ＣＡ）とをサポートするシステムにおける基地局）（ＢＳ）との通信に参加するための手段と、プライマリコンポーネントキャリア（ＰＣＣ）上の通信のための第１のサブフレーム構成でＵＥを構成するための手段、ここにおいて、第１のサブフレーム構成は、サブフレーム構成の第１のセットから選択される、と、セカンダリコンポーネントキャリア（ＳＣＣ）上の通信のための第２の基準サブフレーム構成でＵＥを構成するための手段、ここにおいて、第２のサブフレーム構成は、サブフレーム構成の第１のセット中の任意のサブフレーム構成よりも多数の、アップリンクサブフレームとして指定されるサブフレームを持つ少なくとも１つのアップリンク重サブフレームを含むサブフレーム構成の第２のセットから選択される、とを含む。
【０００９】
[0009]本開示のある態様は、無線通信のための装置を提供する。装置は概して、トラフィック負荷に基づいて、動的アップリンクおよびダウンリンクサブフレーム構成と、キャリアアグリゲーション（ＣＡ）とをサポートするシステムにおけるユーザ機器（ＵＥ）との通信に参加することと、プライマリコンポーネントキャリア（ＰＣＣ）上の通信のための第１のサブフレーム構成でＵＥを構成するためのこと、ここにおいて、第１のサブフレーム構成は、サブフレーム構成の第１のセットから選択される、と、セカンダリコンポーネントキャリア（ＳＣＣ）上の通信のための第２のサブフレーム構成でＵＥを構成すること、ここにおいて、第２のサブフレーム構成は、サブフレーム構成の第１セットにおける任意のサブフレーム構成よりも多数の、アップリンクサブフレームとして指定されるサブフレームを持つ少なくとも１つのアップリンク重サブフレームを含むサブフレーム構成の第２のセットから選択される、とを行うように構成された少なくとも１つのプロセッサを含む。
【００１０】
[0010]本開示のある態様は、無線通信のための装置を提供する。装置は概して、トラフィック負荷に基づいて、動的アップリンクおよびダウンリンクサブフレーム構成と、キャリアアグリゲーション（ＣＡ）とをサポートするシステムにおける基地局）（ＢＳ）との通信に参加することと、プライマリコンポーネントキャリア（ＰＣＣ）上の通信のための第１のサブフレーム構成でＵＥを構成すること、ここにおいて、第１のサブフレーム構成は、サブフレーム構成の第１のセットから選択される、と、セカンダリコンポーネントキャリア（ＳＣＣ）上の通信のための第２の基準サブフレーム構成でＵＥを構成すること、ここにおいて、第２のサブフレーム構成は、サブフレーム構成の第１のセット中の任意のサブフレーム構成よりも多数の、アップリンクサブフレームとして指定されるサブフレームを持つ少なくとも１つのアップリンク重サブフレームを含むサブフレーム構成の第２のセットから選択される、とを行うように構成された少なくとも１つのプロセッサを含む。
【００１１】
[0011]本開示のある態様は、ワイヤレス通信のためにコンピュータ可読記憶媒体を提供する。コンピュータ可読記憶媒体は概して、トラフィック負荷に基づいて、動的アップリンクおよびダウンリンクサブフレーム構成と、キャリアアグリゲーション（ＣＡ）とをサポートするシステムにおける基地局）（ＢＳ）との通信に参加することと、プライマリコンポーネントキャリア（ＰＣＣ）上の通信のための第１の基準サブフレーム構成でＵＥを構成すること、ここにおいて、第１のサブフレーム構成は、サブフレーム構成の第１のセットから選択される、と、セカンダリコンポーネントキャリア（ＳＣＣ）上の通信のための第２の基準サブフレーム構成でＵＥを構成すること、ここにおいて、第２の基準サブフレーム構成は、サブフレーム構成の第１のセット中の任意の基準サブフレーム構成よりも多数の、アップリンクサブフレームとして指定されるサブフレームを持つ少なくとも１つのアップリンク重サブフレームを含むサブフレーム構成の第２のセットから選択される、とを行うように構成された少なくとも１つのプロセッサを含む。
【００１２】
[0012]本開示のある態様はワイヤレス通信のためにコンピュータ可読記憶媒体を提供する。コンピュータ可読記憶媒体は、概してキャリアアグリゲーション（ＣＡ）および動的なアップリンク、およびトラフィック負荷に基づいたダウンリンクサブフレーム構成をサポートするシステムでは基地局（ＢＳ）との通信において参加するために符号を含む；プライマリコンポーネントキャリア（ＰＣＣ）の通信のための第１の基準サブフレーム構成を持ったＵＥを構成するシグナリングの受信。そこでは第１サブフレーム構成はサブフレーム構成の第１のセットから選ばれる；セカンダリコンポーネントキャリア（ＳＣＣ）上の通信のための第２の基準サブフレーム構成でＵＥを構成すること、ここにおいて、第２の基準サブフレーム構成は、サブフレーム構成の第１のセット中の任意の基準サブフレーム構成よりも多数の、アップリンクサブフレームとして指定されるサブフレームを有する、とを行うためのコードを含む。
【００１３】
[0013]態様は概して、添付の図面に関連しておよびそれらによって例示されるように本明細書において実質的に説明される、方法、装置、システム、コンピュータプログラム製品、および処理システムを含む。「ＬＴＥ」は概して、ＬＴＥおよびＬＴＥアドバンスト（ＬＴＥ−Ａ）を指す。
【図面の簡単な説明】
【００１４】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザおよび制御プレーンのための無線プロトコルアーキテクチャの一例を示す図。
【図６】本開示のある特定の態様にしたがって、アクセスネットワーク内における発展型ノードＢおよびユーザ機器の一例を示す図。
【図７】アップリンク／ダウンリンクサブフレーム構成のリストを示す。
【図８】例示のサブフレームフォーマットを示す。
【図９】本開示のある特定の態様にしたがってサブフレームスケジューリングを示す。
【図１０】本開示のある態様にしたがって、基地局によるワイヤレス通信のための例示の動作を示す。
【図１１】本開示のある態様にしたがって、ＵＥによってワイヤレス通信のための例示の動作を示す。
【図１２Ａ】本開示のある態様にしたがって、例示のサブフレーム構成を示す。
【図１２Ｂ】本開示のある態様にしたがって、例示のサブフレーム構成を示す。
【図１３Ａ】ＵＬ重ＴＤＤ構成にしたがう性能増加を示す。
【図１３Ｂ】ＵＬ重ＴＤＤ構成にしたがう性能増加を示す。
【図１４Ａ】ＵＬ重ＴＤＤ構成を使用する場合にＨＡＲＱおよびスケジューリング情報を持った潜在的な問題を緩和するために存在するかもしれない、異なるシナリオを説明する。
【図１４Ｂ】１４Ｂは、ＵＬ重ＴＤＤ構成を使用するときのＨＡＲＱおよびスケジューリング情報を持つ潜在的な問題を緩和するために存在し得る異なるシナリオを示す。
【発明の詳細な説明】
【００１５】
[0031]添付図面に関連して以下に述べられる詳細な説明は、様々な構成の説明として意図されたものであり、本明細書で説明される概念が実施され得る唯一の構成を表すように意図したものではない。詳細な説明は、様々な概念の完全な理解を提供する目的で、具体的な詳細を含む。しかしながら、これらの概念がこれらの具体的な詳細なしに実施され得ることが当業者には明らかになるであろう。いくつかのインスタンスでは、そのような概念をあいまいにすることを避けるために、周知の構造および構成がブロック図形式で示される。
【００１６】
[0032]既存のＬＴＥ基準は、時分割複信（ＴＤＤ）動作で使用される７つのアップリンク（ＵＬ）／ダウンリンク（ＤＬ）サブフレーム構成を定義する。既存の７つのＵＬ／ＤＬサブフレーム構成は、ほとんどのトラフィック負荷シナリオを取り扱うのに適切であるが、それらは、重いＵＬトラフィック負荷を取り扱うのには適切ではないことがある。したがって、本開示の態様は、ＵＬトラフィック負荷が重いシナリオを取り扱うことを意図したサブフレーム構成を使用して、ワイヤレス通信のための技術を表す。
【００１７】
[0033]電気通信システムのいくつかの態様が、様々な装置および方法を参照してこれより以下に示される。これらの装置および方法は、以下の詳細な説明において説明され、（「要素」と総称される）様々なブロック、モジュール、コンポーネント、回路、ステップ、処理、アルゴリズムなどによって添付の図面において示される。これらの要素は、ハードウェア、ソフトウェア、またはそれらの組み合わせを使用して実装されうる。そのような要素がハードウェアとしてまたはソフトウェアとして実装されるかどうかは、特定のアプリケーションおよびシステム全体上において課せられる設計の制約に依存する。
【００１８】
[0034]例として、要素、または要素の任意の部分、または要素の任意の組み合わせは、１つまたは複数のプロセッサを含む「処理システム」と共に実行され得る。プロセッサの例は、この開示を通じて記述された種々の機能を実行するように構成されたマイクロプロセッサ、マイクロコントローラ、デジタル信号プロセッサ（ＤＳＰ）、フィールドプログラマブルゲートアレイ（ＦＰＧＡ）、プログラマブルロジックデバイス（ＰＬＤ）、ステートマシーン、ゲート論理、ディスクリートハードウェア回路、および他の適切なハードウェアを含む。処理システムにおける１つまたは複数のプロセッサは、ソフトウェアを実行しうる。ソフトウェアは、ソフトウェア／ファームウェア、ミドルウェア、マイクロコード、ハードウェア記述言語、または別の名称で呼ばれるかどうかにかかわらず、命令、命令のセット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数、等を意味するように広く解釈されるものとする。
【００１９】
[0035]図１は、本開示の態様が実行されうるＬＴＥネットワークアーキテクチャ１００を示す図である。例えば、ユーザ機器１０２および／またはｅＮｏｄｅＢ  １０６および１０８は、アップリンク重サブフレーム構成を使用して通信するために、本明細書で説明する技術を利用し得る。
【００２０】
[0036]ＬＴＥネットワークアーキテクチャ１００は、発展型パケットシステム（ＥＰＳ：Evolved Packet System）１００と称され得る。ＥＰＳ１００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、およびオペレータのＩＰサービス１２２を含みうる。ＥＰＳは、他のアクセスネットワークと相互接続することができるが、簡潔化のために、それらのエンティティ／インターフェースは、示されない。例証的な他のアクセスネットワークは、ＩＰマルチメディアサブシステム（ＩＭＳ）ＰＤＮ、インターネットＰＤＮ、アドミニストレイティブＰＤＮ（例えば、プロビジョニングＰＤＮ）、キャリア固有ＰＤＮ、オペレータ固有ＰＤＮ、および／またはＧＰＳ ＰＤＮを含みうる。示されるように、ＥＰＳは、パケット交換サービスを提供するが、当業者が容易に理解するであろうように、本開示全体を通じて提示される様々な概念は、回路交換サービスを提供するネットワークに拡張されうる。
【００２１】
[0037]Ｅ−ＵＴＲＡＮは、発展型ノードＢ（ｅＮＢ）１０６と他のｅＮＢ１０８とを含む。ｅＮＢ１０６は、ＵＥ１０２に向かってユーザおよび制御プレーンプロトコルターミネーションを提供する。ｅＮＢ１０６は、Ｘ２インターフェース（例えば、バックホール）を介して他のｅＮＢ１０８に接続され得るｅＮＢ１０６はまた、基地局、基地トランシーバ局、無線基地局、無線トランシーバ、トランシーバ機能、基本サービスセット（ＢＳＳ）、拡張サービスセット（ＥＳＳ）、アクセスポイント、または何らかの他の適した専門用語で呼ばれ得る。ｅＮＢ１０６は、ＵＥ１０２に対してＥＰＣ１１０へのアクセスポイントを提供し得る。ＵＥ１０２の例は、携帯電話、スマートフォン、セッション開始プロトコル（ＳＩＰ）電話、ラップトップ、携帯情報端末（ＰＤＡ）、衛星無線、グローバルポジショニングシステム、マルチメディアデバイス、ビデオデバイス、デジタルオーディオプレイヤ（例えば、ＭＰ３プレイヤ）、カメラ、ゲームコンソール、タブレット、ネットブック、スマートブック、ウルトラブック、または任意の他の同様の機能的なデバイスを含む。ＵＥ１０２はまた、当業者によって、モバイル局、加入者局、モバイルユニット、加入者ユニット、無線ユニット、遠隔ユニット、モバイルデバイス、ワイヤレスデバイス、ワイヤレス通信デバイス、遠隔デバイス、モバイル加入者局、アクセス端末、モバイル端末、無線端末、遠隔端末、ハンドセット、ユーザエージェント、モバイルクライアント、クライアント、または何らかの他の適切な用語と称され得る。
【００２２】
[0038]ｅＮＢ１０６は、Ｓ１インターフェースによってＥＰＣ１１０に接続される。ＥＰＣ１１０は、モビリティ管理エンティティ（ＭＭＥ）１１２、他のＭＭＥ１１４、サービングゲートウェイ１１６、およびパケットデータネットワーク（ＰＤＮ）ゲートウェイ１１８を含む。ＭＭＥ１１２は、ＵＥ１０２とＥＰＣ１１０との間でのシグナリングを処理する制御ノードである。概して、ＭＭＥ１１２は、ベアラおよび接続管理を提供する。全てのユーザＩＰパケットは、サービングゲートウェイ１１６を通じて転送され、それ自体は、ＰＤＮゲートウェイ１１８に接続される。ＰＤＮゲートウェイ１１８は、ＵＥにＩＰアドレス割り振り、ならびに他の機能を提供する。ＰＤＮゲートウェイ１１８は、オペレータのＩＰサービス１２２に接続される。オペレータのＩＰサービス１２２は、例えば、インターネット、イントラネット、ＩＰマルチメディアサブシステム（ＩＭＳ）、およびＰＳ（パケット交換）ストリーミングサービス（ＰＳＳ）を含みうる。このように、ＵＥ１０２は、ＬＴＥネットワークを通じてＰＤＮに結合されうる。
【００２３】
[0039]図２は、本開示の態様が実行され得るＬＴＥネットワークアーキテクチャにおけるアクセスネットワーク２００の例を示す図である。例えば、ユーザ機器２０６および／またはｅＮｏｄｅＢ  ２０４および２０８は、アップリンク重サブフレーム構成（uplink heavy subframe configurations）を使用して通信するために本明細書に説明される技術を利用し得る。
【００２４】
[0040]この例では、アクセスネットワーク２００は、多数のセルラ領域（セル）２０２に分割される。１つまたは複数のより低い電力クラスのｅＮＢ２０８は、セル２０２のうちの１つまたは複数とオーバーラップするセルラ領域２１０を有し得る。より低い電力クラスのｅＮＢ２０８は、リモート無線ヘッド（ＲＲＨ：remote radio head）と呼ばれ得る。より低い電力クラスのｅＮＢ２０８は、フェムトセル（例えば、ホームｅＮＢ（ＨｅＮＢ））、ピコセル、またはマイクロセルであり得る。マクロｅＮＢ２０４は各々、それぞれのセル２０２に割り当てられ、セル２０２内における全てのＵＥ２０６に対してＥＰＣ１１０へのアクセスポイントを提供するように構成される。アクセスネットワーク２００のこの例には集中型コントローラが存在しないが、代替の構成においては集中型コントローラが使用されうる。ｅＮＢ２０４は、無線ベアラ制御、アドミッション制御、モビリティ制御、スケジューリング、セキュリティ、およびサービングゲートウェイ１１６への接続性を含む、すべての無線に関連する機能を担う。ネットワーク２００はまた、（示されていないが）１つまたは複数の中継器を含み得る。１つのアプリケーションによると、ＵＥは、中継器としての役割を果たし得る。
【００２５】
[0041]アクセスネットワーク２００によって用いられる変調および多元接続スキームは、展開される特定の電気通信規格に依存して異なり得る。ＬＴＥアプリケーションでは、周波数分割複信（ＦＤＤ）および時分割複信（ＴＤＤ）の両方をサポートするために、ＯＦＤＭがＤＬ上で使用され、ＳＣ−ＦＤＭＡがＵＬ上で使用される。以下の詳細な説明から当業者が容易に理解するであろうように、本明細書において提示される様々な概念は、ＬＴＥアプリケーションによく適する。しかしながら、これらの概念は、他の変調および多元接続技法を用いる他の電気通信規格に容易に拡張されうる。例として、これらの概念は、エボリューションデータオプティマイズド（ＥＶ−ＤＯ：Evolution-Data Optimized）またはウルトラモバイルブロードバンド（ＵＭＢ）に拡張されうる。ＥＶ−ＤＯおよびＵＭＢは、ＣＤＭＡ２０００ファミリー規格の一部として、第３世代パートナーシッププロジェクト２（３ＧＰＰ２）によって公表されたインターフェース規格であり、モバイル局にブロードバンドインターネットアクセスを提供するためにＣＤＭＡを採用する。これらの概念はまた、広帯域ＣＤＭＡ（Ｗ−ＣＤＭＡ（登録商標））、およびＴＤ−ＳＣＤＭＡのようなＣＤＭＡの他の変形を用いるユニバーサル地上無線アクセス（ＵＴＲＡ）、ＴＤＭＡを用いる移動体通信のためのグローバルシステム（ＧＳＭ（登録商標））、およびＯＦＤＭＡを用いる発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰの組織からの文書内において説明されている。ＣＤＭＡ２０００およびＵＭＢは、３ＧＰＰ２の組織からの文書内において説明されている。用いられる実際のワイヤレス通信規格および多元接続技術は、特定のアプリケーションおよびシステム上において課せられる全体的な設計の制約に依存するであろう。
【００２６】
[0042]ｅＮＢ２０４は、ＭＩＭＯ技術をサポートする複数のアンテナを有し得る。ＭＩＭＯ技術の使用は、ｅＮＢ２０４に、空間領域を活用して、空間多重、ビームフォーミング、および送信ダイバーシティをサポートすることを可能にさせる。空間多重化は、同じ周波数上において同時にデータの異なるストリームを送信するために使用され得る。データストリームは、データレートを増加させるために単一のＵＥ２０６に、または、全体的なシステム容量を増加させるために複数のＵＥ２０６に、送信され得る。これは、各データストリームを空間的にプリコーディングし（例えば、振幅および位相のスケーリングを適用し）、その後、ＤＬ上における多数の送信アンテナを通じて各空間的にプリコーディングされたストリームを送信することによって達成される。空間的にプリコーディングされたデータストリームは、異なる空間シグネチャとともにＵＥ２０６へと到達し、それは、ＵＥ２０６の各々が、そのＵＥ２０６に宛てられた１つまたは複数のデータストリームを復元することを可能にする。ＵＬ上において、各ＵＥ２０６は、空間的にプリコーディングされたデータストリームを送信し、それは、ｅＮＢ２０４が、各空間的にプリコーティングされたデータストリームのソースを識別することを可能にする。
【００２７】
[0043]空間的多重化は概して、チャネル状態が良好な場合に使用される。チャネル条件があまり良好でない場合、ビームフォーミングは、１つまたは複数の方向に送信エネルギーを集中するために使用されうる。これは、複数のアンテナを通じて送信するためのデータを空間的にプリコーディングすることによって達成されうる。セルの端において良いカバレッジを達成するために、シングルストリームビームフォーミング送信が、送信ダイバーシティと組み合わせて使用され得る。
【００２８】
[0044]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内における多数のサブキャリアにわたってデータを変調するスペクトル拡散技法である。サブキャリアは、正確な周波数において間隔を空けられている。間隔を空けることは、受信機が、サブキャリアからデータを復元することを可能にする「直交性」を提供する。時間ドメインにおいて、ＯＦＤＭシンボル間干渉に対抗するために、ガードインターバル（例えば、サイクリックプリフィクス）が各ＯＦＤＭシンボルに追加されうる。ＵＬは、高いピーク対平均電力比（ＰＡＰＲ）を補償するために、ＤＦＴ拡散ＯＦＤＭ信号の形態でＳＣ−ＦＤＭＡを使用しうる。
【００２９】
[0045]図３は、ＬＴＥにおけるＤＬフレーム構造の例を示す図３００である。フレーム（１０ｍｓ）は、０〜９のインデックスを有する１０個の等しいサイズのサブフレームに分割されうる。各サブフレームは、２つの連続する時間スロットを含みうる。２個のタイムスロットを表すためにリソースグリッドが使用されることがありえ、各タイムスロットは、リソースブロックを含む。リソースグリッドは、複数のリソースエレメントに分割される。ＬＴＥでは、リソースブロックは、周波数ドメイン内における１２個の連続するサブキャリアと、各ＯＦＤＭシンボル内における通常のサイクリックプリフィクスの場合、時間ドメイン内における７つの連続するＯＦＤＭシンボルとを、すなわち、８４個のリソース要素を含む。拡張されたサイクリックプリフィックスの場合、リソースブロックは、時間ドメイン内において６つの連続するＯＦＤＭシンボルを含み、７２個のリソース要素を有する。Ｒ３０２、Ｒ３０４として示される、リソース要素のうちのいくつかは、ＤＬ基準信号（ＤＬ−ＲＳ）を含む。ＤＬ−ＲＳは、（共通ＲＳと呼ばれることもある）セル固有のＲＳ（ＣＲＳ）３０２およびＵＥ固有のＲＳ（ＵＥ−ＲＳ）３０４を含む。ＵＥ−ＲＳ ３０４は、対応する物理ＤＬ共有チャネル（ＰＤＳＣＨ）がマッピングされるリソースブロック上でのみ送信される。各リソース要素によって搬送されるビット数は、変調スキームに依存する。このように、ＵＥが受信するリソースブロックがより多いほど、および、変調スキームがより高度であるほど、ＵＥのためのデータレートはより高くなる。
【００３０】
[0046]ＬＴＥでは、ｅＮＢは、ｅＮＢにおける各セルについてのプライマリ同期信号（ＰＳＳ）およびセカンダリ同期信号（ＳＳＳ）を送信し得る。プライマリおよびセカンダリ同期信号は、通常のサイクリックプレフィックス（ＣＰ）で各無線フレームのうちのサブフレーム０および５の各々において、シンボル期間６および５内においてそれぞれ送られ得る。同期信号は、セル検出および獲得のためにＵＥによって使用されうる。ｅＮＢは、サブフレーム０のスロット１内におけるシンボル期間０〜３内において物理ブロードキャストチャネル（ＰＢＣＨ）を送り得る。ＰＢＣＨは、ある特定のシステム情報を搬送し得る。
【００３１】
[0047]ｅＮＢは、各サブフレームの第１のシンボル期間内において物理制御フォーマットインジケータチャネル（ＰＣＦＩＣＨ）を送りうる。ＰＣＦＩＣＨは、制御チャネルに対して使用されるシンボル期間の数（Ｍ個）を伝達し、ここにおいて、Ｍは、１、２、または３に等しく、サブフレームごとに変化しうる。Ｍはまた、例えば、１０個未満のリソースブロックを有する小さなシステム帯域幅の場合、４に等しくなりうる。ｅＮＢは、各サブフレームの最初のＭ個のシンボル期間内において、物理ＨＡＲＱインジケータチャネル（ＰＨＩＣＨ）および物理ダウンリンク制御チャネル（ＰＤＣＣＨ）を送り得る。ＰＨＩＣＨは、ハイブリッド自動再送要求（ＨＡＲＱ）をサポートするための情報を搬送し得る。ＰＤＣＣＨは、ＵＥのためのリソース割り当てに関する情報と、ダウンリンクチャネルのための制御情報とを搬送し得る。ｅＮＢは、各サブフレームの残りのシンボル期間内において物理ダウンリンク共有チャネル（ＰＤＳＣＨ）を送りうる。ＰＤＳＣＨは、ダウンリンク上におけるデータ送信のためにスケジュールされたＵＥのためのデータを搬送しうる。
【００３２】
[0048]ｅＮＢは、ｅＮＢによって使用されるシステム帯域幅の中心である１．０８ＭＨｚにおいて、ＰＳＳ、ＳＳＳ、およびＰＢＣＨを送り得る。ｅＮＢは、ＰＣＦＩＣＨおよびＰＨＩＣＨを、これらのチャネルが送られる各シンボル期間内において、システム帯域幅全体にわたって送り得る。ｅＮＢは、システム帯域幅のある特定の部分内においてＵＥのグループにＰＤＣＣＨを送り得る。ｅＮＢは、システム帯域幅の特定の部分内において特定のＵＥにＰＤＳＣＨを送り得る。ｅＮＢは、全てのＵＥにブロードキャスト方式でＰＳＳ、ＳＳＳ、ＰＢＣＨ、ＰＣＦＩＣＨ、およびＰＨＩＣＨを送り、特定のＵＥにユニキャスト方式でＰＤＣＣＨを送り、また特定のＵＥにユニキャスト方式でＰＤＳＣＨを送り得る。
【００３３】
[0049]多数のリソースエレメントが各シンボル期間において利用可能であり得る。各リソース要素（ＲＥ）は、１つのシンボル期間内において１つのサブキャリアをカバーし、１つの変調シンボルを送るために使用され、それは、実数値または複素数値であり得る。各シンボル期間内において基準信号に対して使用されないリソース要素は、リソース要素グループ（ＲＥＧ）内に配置され得る。各ＲＥＧは、１つのシンボル期間内において４つのリソース要素を含み得る。ＰＣＦＩＣＨは、シンボル期間０内において４つのＲＥＧを占有し、それらは、周波数にわたってほぼ均等に間隔が空けられ得る。ＰＨＩＣＨは、１つまたは複数の構成可能なシンボル期間内において３つのＲＥＧを占有し、それらは、周波数にわたって拡散され得る。例えば、ＰＨＩＣＨのための３つのＲＥＧは、全てシンボル期間０内に属すか、またはシンボル期間０、１、および２内において拡散され得る。ＰＤＣＣＨは、例えば、最初のＭ個のシンボル期間内において、９、１８、３６、または７２個のＲＥＧを占有し、それらは、利用可能なＲＥＧから選択され得る。ＲＥＧのある特定の組み合わせのみが、ＰＤＣＣＨに対して許可され得る。本方法および装置の態様において、サブフレームは、１つよりも多くのＰＤＣＣＨを含み得る。
【００３４】
[0050]ＵＥは、ＰＨＩＣＨおよびＰＣＦＩＣＨに使用される特定のＲＥＧを知り得る。ＵＥは、ＰＤＣＣＨのために、ＲＥＧの異なる組み合わせを探索し得る。探索する組み合わせの数は典型的に、ＰＤＣＣＨに対する許可された組み合わせの数よりも少ない。ｅＮＢは、ＵＥが探索することになる任意の組み合わせにおいてＵＥにＰＤＣＣＨを送りうる。
【００３５】
[0051]図４は、ＬＴＥにおけるＵＬフレーム構造の例を示す図４００である。ＵＬのための利用可能なリソースブロックは、データセクションおよび制御セクションに区分され得る。制御セクションは、システム帯域幅の２つの端において形成されることができ、設定可能なサイズを有することができる。制御セクションにおけるリソースブロックは、制御情報の送信のためにＵＥに割り当てられ得る。データセクションは、制御セクション内において含まれない全てのリソースブロックを含みうる。ＵＬフレーム構造は、連続するサブキャリアを含むデータセクションをもたらし、それは、単一のＵＥが、データセクション内における連続するサブキャリアの全てを割り当てられることを可能にし得る。
【００３６】
[0052]ＵＥは、ｅＮＢに制御情報を送信するために、制御セクション中のリソースブロック４１０ａ、４１０ｂが割り当てられ得る。ＵＥはまた、ｅＮＢにデータを送信するためにデータセクション内におけるリソースブロック４２０ａ、４２０ｂを割り当てられ得る。ＵＥは、制御セクション内における割り当てられたリソースブロック上の物理ＵＬ制御チャネル（ＰＵＣＣＨ）内において制御情報を送信し得る。ＵＥは、データセクション内における割り当てられたリソースブロック上の物理ＵＬ共有チャネル（ＰＵＳＣＨ）内において、データのみ、またはデータと制御情報との両方を送信し得る。ＵＬ送信は、サブフレームの両方のスロットにまたがり、周波数にわたってホッピングし得る。
【００３７】
[0053]物理ランダムアクセスチャネル（ＰＲＡＣＨ）４３０におけるリソースブロックのセットは、初期システムアクセスを実行し、ＵＬ同期を達成するために使用され得る。ＰＲＡＣＨ４３０は、ランダムシーケンスを搬送するが、いずれのＵＬデータ／シグナリングも搬送することはできない。各ランダムアクセスプリアンブルは、６個の連続したリソースブロックに対応する帯域幅を占有する。開始周波数は、ネットワークによって指定される。すなわち、ランダムアクセスプリアンブルの送信は、ある特定の時間および周波数リソースに制限される。ＰＲＡＣＨについては周波数ホッピングは存在しない。ＰＲＡＣＨ試行は、単一のサブフレーム（１ｍｓ）内、または少数の連続するサブフレームのシーケンス内において搬送され、ＵＥは、フレーム（１０ｍｓ）ごとに単一のＰＲＡＣＨ試行のみを行うことができる。
【００３８】
[0054]図５は、ＬＴＥにおけるユーザおよび制御プレーンのための無線プロトコルアーキテクチャの例を示す図５００である。ＵＥおよびｅＮＢのための無線プロトコルアーキテクチャは、レイヤ１、レイヤ２、およびレイヤ３の３つのレイヤで示される。レイヤ１（Ｌ１レイヤ）は、最下位のレイヤであり、様々な物理レイヤ信号処理機能を実装する。Ｌ１レイヤは、本明細書において物理レイヤ５０６と呼ばれる。レイヤ２（Ｌ２レイヤ）５０８は、物理レイヤ５０６より上位にあり、物理レイヤ５０６を介したＵＥとｅＮＢとの間のリンクを担う。
【００３９】
[0055]ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、それらは、ネットワーク側のｅＮＢにおいて終端される。示されないが、ＵＥは、ネットワーク側のＰＤＮゲートウェイ１１８において終端されるネットワークレイヤ（例えば、ＩＰレイヤ）、および接続の他端（例えば、遠端ＵＥ、サーバ、等）において終端されるアプリケーションレイヤを含む、Ｌ２レイヤ５０８よりも上の、いくつかの上位レイヤを有しうる。
【００４０】
[0056]ＰＤＣＰサブレイヤ５１４は、異なる無線ベアラと論理チャネルとの間で多重化を提供する。ＰＤＣＰサブレイヤ５１４はまた、無線送信オーバヘッドを低減するための上位レイヤデータパケットに対するヘッダ圧縮、データパケットを暗号化することによるセキュリティ、およびｅＮＢ間のＵＥに対するハンドオーバサポートを提供する。ＲＬＣサブレイヤ５１２は、上位レイヤデータパケットのセグメンテーションおよびリアセンブリと、損失データパケットの再送と、ハイブリッド自動再送要求（ＨＡＲＱ）に起因する順序が乱れた受信を補償するためのデータパケットの並び替えとを提供する。ＭＡＣサブレイヤ５１０は、論理チャネルとトランスポートチャネルの間の多重化を提供する。ＭＡＣサブレイヤ５１０はまた、ＵＥの間で１つのセル内における様々な無線リソース（例えば、リソースブロック）を割り振ることを担う。ＭＡＣサブレイヤ５１０はまた、ＨＡＲＱ動作を担う。
【００４１】
[0057]制御プレーンでは、ＵＥおよびｅノードＢのための無線プロトコルアーキテクチャは、制御プレーンに対するヘッダ圧縮機能が存在しないという点を除き、物理レイヤ５０６およびＬ２レイヤ５０８の場合と実質的に同一である。制御プレーンはまた、レイヤ３（Ｌ３レイヤ）における無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間でＲＲＣシグナリングを使用して下位レイヤを構成することとを担う。
【００４２】
[0058]図６は、本開示の態様が実施されうる、アクセスネットワーク内においてＵＥ６５０と通信するｅＮＢ６１０のブロック図である。例えば、ユーザ機器６５０および／またはｅＮｏｄｅＢ６１０は、アップリンク重サブフレーム構成を使用して通信するために本明細書で説明される技術を利用し得る。
【００４３】
[0059]ＤＬでは、コアネットワークからの上位レイヤパケットが、コントローラ／プロセッサ６７５に提供される。制御器／プロセッサ６７５は、Ｌ２レイヤの機能を実装する。ＤＬでは、制御器／プロセッサ６７５は、ヘッダの圧縮、暗号化、パケットセグメンテーションおよび並び替え、論理チャネルとトランスポートチャネルとの間での多重化、および様々な優先順位メトリックに基づいたＵＥ６５０への無線リソースの割り振りを提供する。制御器／プロセッサ６７５はまた、ＨＡＲＱ動作、損失パケットの再送、およびＵＥ ６５０へのシグナリングを担う
[0060]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ）を容易にするためにコーディングおよびインターリーブすることと、様々な変調スキーム（例えば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーションにマッピングすることとを含む。コード化され、変調されたシンボルは、その後並列なストリームに分けられる。各ストリームは、その後、時間ドメインＯＦＤＭシンボルストリームを搬送する物理チャネルを生成するために、ＯＦＤＭサブキャリアにマッピングされ、時間および／または周波数ドメイン内において基準信号（例えば、パイロット）と多重化され、その後、逆高速フーリエ変換（ＩＦＦＴ）を使用してともに組み合わされる。ＯＦＤＭストリームは、複数の空間ストリームを生成するために空間的にプリコーディングされる。チャネル推定器６７４からのチャネル推定値は、コーディングおよび変調スキームを決定するために、ならびに空間処理のために使用されうる。チャネル推定値は、ＵＥ６５０によって送信されたチャネル条件フィードバックおよび／または基準信号から導出され得る。各空間ストリームは、その後別個の送信機６１８ＴＸを介して異なるアンテナ６２０に提供される。各送信機６１８ＴＸは、送信のためにそれぞれの空間ストリームを用いてＲＦキャリアを変調する。
【００４４】
[0061]ＵＥ６５０において、各受信機６５４ＲＸは、そのそれぞれのアンテナ６５２を通じて信号を受信する。各受信機６５４ＲＸは、ＲＦキャリア上に変調された情報を復元し、受信（ＲＸ）プロセッサ６５６にこの情報を提供する。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を遂行する。多数の空間ストリームがＵＥ６５０に宛てられる場合、それらは、ＲＸプロセッサ６５６によって単一のＯＦＤＭシンボルストリームへと組み合わされ得る。その後、ＲＸプロセッサ６５６は、高速フーリエ変換（ＦＦＴ）を使用して、ＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上におけるシンボル、および基準信号は、ｅＮＢ６１０によって送信された最も可能性の高い信号コンステレーションポイントを決定することによって復元および復調される。これらの軟判定は、チャネル推定器６５８によって計算されたチャネル推定値に基づき得る。軟判定は、その後、物理チャネル上においてｅＮＢ６１０によって当初送信されたデータおよび制御信号を復元するために復号およびデインターリーブされる。その後、データおよび制御信号は、制御器／プロセッサ６５９に提供される。
【００４５】
[0062]制御器／プロセッサ６５９は、Ｌ２レイヤを実装する。制御器／プロセッサは、プログラムコードおよびデータを記憶するメモリ６６０に関連付けられうる。メモリ６６０は、コンピュータ可読媒体と呼ばれ得る。ＵＬにおいて、コントローラ／プロセッサ６５９は、コアネットワークからの上位レイヤパケットを復元するために、トランスポートチャネルと論理チャネルとの間での逆多重化、パケットのリアセンブリ、暗号解読、ヘッダの解凍、制御信号処理を提供する。上位レイヤパケットは、その後、データシンク６６２に提供され、それは、Ｌ２レイヤより上位の全てのプロトコルレイヤを表す。様々な制御信号もまた、Ｌ３処理のためにデータシンク６６２に提供されうる。制御器／プロセッサ６５９はまた、ＨＡＲＱ動作をサポートするために肯定応答（ＡＣＫ）および／または否定応答（ＮＡＣＫ）プロトコルを使用する誤り検出を担う。
【００４６】
[0063]ＵＬでは、データソース６６７は、コントローラ／プロセッサ６５９に上位レイヤパケットを与えるために使用される。データソース６６７は、Ｌ２レイヤより上位のすべてのプロトコルレイヤを表す。ｅＮＢ６１０によるＤＬ送信に関連して説明された機能と同様に、コントローラ／プロセッサ６５９は、ｅＮＢ６１０による無線リソースの割り振りに基づいて、論理チャネルとトランスポートチャネルと間での多重化、パケットセグメンテーションと並び替え、暗号化、およびヘッダ圧縮を提供することによって、ユーザプレーンおよび制御プレーンのためのＬ２レイヤを実装する。制御器／プロセッサ６５９はまた、ＨＡＲＱ動作、損失パケットの再送、ｅＮＢ６１０へのシグナリングを担う。
【００４７】
[0064]ｅノードＢ６１０によって送信された基準信号またはフィードバックからチャネル推定器６５８によって導出されたチャネル推定値は、適切なコーディングおよび変調スキームを選択することと、空間処理を容易にすることとを行うようＴＸプロセッサ６６８によって使用され得る。ＴＸプロセッサ６６８によって生成された空間ストリームは、別個の送信機６５４ＴＸを介して異なるアンテナ６５２に提供される。各送信機６５４ＴＸは、送信のためにそれぞれの空間ストリームを用いてＲＦキャリアを変調する。
【００４８】
[0065]ＵＬ送信は、ＵＥ６５０における受信機機能に関して説明した方法と同様の方法でｅＮＢ６１０において処理される。各受信機６１８ＲＸは、そのそれぞれのアンテナ６２０を通じて信号を受信する。各受信機６１８ＲＸは、ＲＦキャリア上に変調された情報を復元し、ＲＸプロセッサ６７０にその情報を提供する。ＲＸプロセッサ６７０は、Ｌ１レイヤを実装し得る。
【００４９】
[0066]制御器／プロセッサ６７５は、Ｌ２レイヤを実装する。制御器／プロセッサ６７５は、プログラムコードおよびデータを記憶するメモリ６７６に関連付けられうる。メモリ６７６は、コンピュータ可読媒体と呼ばれ得る。ＵＬにおいて、コントローラ／プロセッサ６７５は、ＵＥ６５０からの上位レイヤパケットを復元するために、トランスポートチャネルと論理チャネルとの間での逆多重化、パケットのリアセンブリ、暗号解読、ヘッダの解凍、制御信号処理を提供する。制御器／プロセッサ６７５からの上位レイヤパケットは、コアネットワークに提供されうる。コントローラ／プロセッサ６７５はまた、ＨＡＲＱ動作をサポートするためにＡＣＫおよび／またはＮＡＣＫプロトコルを使用する誤り検出を担う。制御器／プロセッサ６７５、６５９は、それぞれ、ｅＮＢ６１０およびＵＥ６５０における動作を指示し得る。ＵＥ６５０における制御器／プロセッサ６５９および／または他のプロセッサとモジュールとは、例えば、本明細書において説明される技法のための動作、例えば、図１１内における動作１１００、および／または他の処理を実行または指示し得る。ｅＮＢ６１０における制御／プロセッサ６７５および／または他のプロセッサとモジュールとは、例えば、本明細書において説明される技法のための動作、例えば、図１０内における動作１０００、および／または他の処理を実行または指示し得る。態様では、図６内において示される任意のコンポーネントのうちの１つまたは複数は、本明細書において説明される技法のための実例的な動作１０００と１１００および／または他の処理を実行するために採用され得る。
例示のサブフレーム構成
【００５０】
[0067]図７は、ＬＴＥ ＴＤＤのための実例的なフレーム構造７００を示す。図７内において示されるように、１０ｍｓの無線フレーム７０２は、１０個のスロットまたは８つのスロットから成る各半分のフレーム（例えば、スロット７０６）、プラス特別なサブフレーム７０８内における３つの特別なフィールドＤｗＰＴＳ（ダウンリンクパイロットタイムスロット、ＧＰ（ガード期間）、およびＵｐＰＴＳ（アップリンクパイロットタイムスロット）を有する、等しい長さ（例えば、５ｍｓ）の２つの半分のフレーム７０４から成る。各スロット７０６は、長さが０．５ｍｓであり、２つの連続するスロットは、ちょうど１つのサブフレーム７１０を形成する。
【００５１】
[0068]無線フレーム内において、ＬＴＥ ＴＤＤは、ダウンリンク送信とアップリンク送信との間を、およびその逆も同様に、何度も切り替える。ガード期間（ＧＰ）は、ダウンリンクからアップリンクに切り替える場合にＤｗＰＴＳとＵｐＰＴＳとの間に挿入される。ＧＰの持続時間は、基地局からモバイル局への往復にかかる信号伝搬時間、ならびに受信することから送ることに切り替えるためにモバイル局が必要とする時間に依存する。個々の特別なフィールドの長さは、ネットワークによって選択されたアップリンク／ダウンリンク構成に依存するが、３つの特別なフィールドの全長は、１ｍｓで一定のままである。
【００５２】
[0069]ＬＴＥ ＴＤＤにおいて、送信方向は、異なるサブフレーム内においてＵＬおよびＤＬデータを搬送することによって分けられる。図８の表８００内において示されるように、７つの可能なＤＬおよびＵＬサブフレーム構成がサポートされる。
【００５３】
[0070]表８００の列８０２内において示されるように、７つのＵＬ／ＤＬ構成は、０−６のインデックスによって識別される。列８０６内において示されるように、サブフレーム内における「Ｄ」は、ＤＬデータ送信を示し、「Ｕ」は、ＵＬデータ送信を示し、「Ｓ」は、図７に関連して上述された特別なフィールドＤｗＰＴＳ、ＧＰ、およびＵｐＰＴＳを有する特別なサブフレームを示す。列８０４内において示されるように、２つの切り替えの周期性、５ｍｓおよび１０ｍｓが存在する。５ｍｓの周期性（例えば、サブフレーム構成０〜２および６）の場合、図７内において例示されるように、１つの１０ｍｓ内において２つの特別なサブフレームが存在する。１０ｍｓの周期性（例えば、サブフレーム構成３−５）の場合、１つのフレーム内において１つの特別なサブフレームが存在する。
ｅＩＭＴＡのための時分割複信構成
【００５４】
[0071]ＬＴＥ  ＲＡＮ１では、ＤＬ−ＵＬ干渉管理およびトラフィック適応（ｅＩＭＴＡ）のためのＬＴＥ  ＴＤＤへのさらなる増強を詳述する新規の承認されたリリース１２  ＷＩがある。ｅＩＭＴＡスキームは、セルトラフィック負荷に従うＤＬ対ＵＬリソース割り振りを許容し得る。
【００５５】
[0072]図８中の表８００において示されるように、７つの異なるサブフレーム構成がＬＴＥ  ＴＤＤシステムのために指定される。様々なシナリオにおけるｅＩＭＴＡの実現可能性調査および性能評価は、ＤＬおよびＵＬ負荷が異なるとき、トラフィック適応のための動的なサブフレーム再構成に対する有意な利得を示す。利得は、適応レートに大きく依存し得る。例えば、利得は、レイヤ１（Ｌ１）、無線リソース制御（ＲＲＣ）およびブロードキャストシグナリングに対応する、１０ｍｓ、２００ｍｓ、および６４０ｍｓのような、適応レートに大きく依存し得る。フレームベース上の高速適応時間スケール（例えば、１０ｍｓ）は、最大性能利得を提供する。
【００５６】
[0073]概して、ｅＩＭＴＡを使用する場合、サブフレームの実際の使用は、ｅＮＢスケジューリングに支配されることができる。例えば、ｅＮＢスケジューリングによって、サブフレーム３、４、５、７、８、９は、ＤＬまたはＵＬサブフレームのいずれかである一方、サブフレーム６は、ＤＬまたは特別なサブフレームのいずれかであり得る。
【００５７】
[0074]ｅＩＭＴＡのための動作を単純化するために、多くの物理レイヤ動作のための基準として１つまたは複数のＤＬ／ＵＬ構成を定義することが可能であり得る。例えば、図９で示されるように、ＤＬハイブリッド自動繰り返し要求（ＨＡＲＱ）動作は、フレーム（またはハーフフレーム）中の使用における実際のＤＬ／ＵＬサブフレーム構成にかかわらず、ＤＬ／ＵＬサブフレーム構成＃５に基づき得る。すなわち、動的なＤＬ／ＵＬサブフレーム構成が可能になる場合、ＤＬ  ＨＡＲＱタイミングは、９：１  ＤＬ／ＵＬサブフレーム構成に基づき得る。例えば、図９に示されるように、ＤＬ  ＨＡＲＱタイミングは、サブフレーム構成＃５（つまり、ＤＳＵＤＤＤＤＤＤＤ）に基づき得、この構成では、フレームＦnのサブフレーム０、１、３、４、５、８におけるダウンリンク送信は、フレームＦn+1のアップリンクサブフレーム２において確認応答される。
【００５８】
[0075]同時に、ＵＬ  ＨＡＲＱ動作は、例えば、図９でさらに示される、フレーム（またはハーフフレーム）中の使用における実際のＤＬ／ＵＬサブフレーム構成にかかわらず、ＤＬ／ＵＬサブフレーム構成＃０に基づき得る。すなわち、動的なＤＬ／ＵＬサブフレーム構成が可能になる場合、ＵＬ  ＨＡＲＱタイミングは、４：６  ＤＬ／ＵＬサブフレーム構成に常に基づき得る。例えば、図９に示されたように、ＵＬ  ＨＡＲＱタイミングは、サブフレーム構成＃０（つまり、ＤＳＵＵＵＤＳＵＵＵ）に基づき得、この構成では、ＵＥがフレームＦnのサブフレーム０中の物理ハイブリッドＡＲＱインジケータチャネル（ＰＨＩＣＨ）におけるＡＣＫ／ＮＡＣＫを受信する場合、ＵＥは、フレームＦnのサブフレーム７（ＵＬインデックスの少なくとも最下位ビットが１にセットされる場合）またはサブフレーム４（ＤＣＩフォーマット０におけるＵＬインデックスの最上位ビット（ＭＳＢ）が１にセットされる場合）中のＡＣＫ／ＮＡＣＫに関連付けられるデータを送信し得る。加えて、示されるように、ＵＥがフレームＦnのサブフレーム中のＰＨＩＣＨにおけるＡＣＫ／ＮＡＣＫを受信する場合、ＵＥは、サブフレーム７（ＤＣＩフォーマット０中のＵＬインデックスのＭＳＢが０にセットされる場合）またはサブフレーム８（ＵＬインデックスのＬＳＢが１にセットされる場合）におけるＡＣＫ／ＮＡＣＫに関連付けられるデータを再送信し得る。
【００５９】
[0076]図８で示される既存の７つのＵＬ−ＤＬ構成が様々な状況において役立ち得るが、これらの構成は、既存の構成各々における最大のＵＬサブフレーム部分が多くても、フレーム（ｅ．ｇ、構成＃０）における合計サブフレームのうちのわずか６０パーセントであるので、ＵＬ重シナリオを取り扱うのには適切になり得ない。すなわち、ＵＬ重負荷を持つシナリオでは、既存の７つの構成のいずれも大量のＵＬトラフィックを取り扱うのには適切になり得ない。したがって、大量のＵＬトラフィックに適合することができる新規のサブフレーム構成の必要があり、それにより、ｅＩＭＴＡ中のＵＬ性能を改善する。
【００６０】
[0077]図１０は、本開示の態様に従って、（例えば、ＵＬ重サブフレーム構成を使用して通信する）ワイヤレス通信のための例示の動作１０００を示す。態様に従って、動作１０００は、ｅＮＢ（例えば、ｅＮＢ１０６、２０４、２０８、および／または６１０）によって実行され得る。
【００６１】
[0078]動作１０００は、１００２で、トラフィック負荷に基づく、動的なアップリンクおよびダウンリンクサブフレーム構成およびキャリアアグリゲーション（ＣＡ）をサポートするシステムにおけるユーザ機器（ＵＥ）との通信に参加することによって開始する。１００４で、基地局は、プライマリコンポーネントキャリア（ＰＣＣ）上の通信のための第１のサブフレーム構成でＵＥを構成し、第１サブフレーム構成は、サブフレーム構成の第１のセットから選択される。１００６で、基地局は、セカンダリコンポーネントキャリア（ＳＣＣ）上の通信のための第２のサブフレーム構成でＵＥを構成し、第２のサブフレーム構成は、サブフレーム構成の第１のセットにおける任意のサブフレーム構成よりも多数の、アップリンクサブフレームとして指定されるサブフレームを持つ少なくとも１つの重サブフレーム構成を含むサブフレーム構成の第２のセットから選択される。
【００６２】
[0079]図１１は、本開示の態様に従って、ワイヤレス通信のための例示の動作１１００を示す。態様に従って、動作１１００は、ユーザ機器によって実行され得る。
【００６３】
[0080]動作１１００は、１１０２で、トラフィック負荷に基づく動的なアップリンクおよびダウンリンクサブフレーム構成およびキャリアアグリゲーション（ＣＡ）をサポートするシステムにおける基地局（ＢＳ）との通信に参加することによって開始する。１１０４で、ＵＥは、プライマリコンポーネントキャリア（ＰＣＣ）上の通信のための第１のサブフレーム構成でＵＥを構成し、第１サブフレーム構成は、サブフレーム構成の第１のセットから選択される。１１０６で、ＵＥは、セカンダリコンポーネントキャリア（ＳＣＣ）上の通信のための第２の基準サブフレーム構成でＵＥを構成するシグナリングを受信し、第２のサブフレーム構成は、サブフレーム構成の第１のセットにおける任意のサブフレーム構成よりも多数の、アップリンクサブフレームとして指定されるサブフレームを持つ少なくとも１つの重サブフレーム構成を含むサブフレーム構成の第２のセットから選択される。
【００６４】
[0081]ある態様に従って、新規のＵＬ重ＴＤＤ構成は、ｅＩＭＴＡ中のＵＬ性能を増加させるように定義され得る。例として、第１のＵＬ重構成は、図１２中に示されるように、１つのＤＬサブフレーム、１つの特別なサブフレーム、および８つのＵＬサブフレーム（つまり、ＤＳＵＵＵＵＵＵＵＵ）を備えうる。ある態様に従って、第２の例示のＵＬ重構成は、図１２Ｂ中に示されるように、ＵＬサブフレームのみ（つまり、ＵＵＵＵＵＵＵＵＵＵ）を備える。ある態様に従って、既存の７つのＴＤＤ構成は、図８中の表８００において示されるように、ＵＬ重ＴＤＤ構成と一緒にまだサポートされ得る。
【００６５】
[0082]図１３Ａおよび１３Ｂは、ＵＬ重ＴＤＤ構成に関連付けられた性能増加を示す。例えば、図１３Ｂに示されるように、図１２Ａに示されるサブフレームフォーマットは、ＵＬパケットスループットにおいて約３０％の利得をもたらし得る。さらに、図１２Ｂに示されるＵＬ重ＴＤＤ構成に関連付けられた性能増大が、図１３Ｂにおいて示される。それは、ＵＬパケットスループットにおいて約６０％の利得をもたらし得る。したがって、以上のように、ｅＩＭＴＡ性能は、ＵＬ重ＴＤＤ構成を加えることによって大幅に増加し得る一方、（図１３Ａに示されるように）ＤＬ性能に影響を及ぼさない。
【００６６】
[0083]さらに、ＵＬ重／ＵＬのみ、サブフレーム構成の追加を用いて、ＴＤＤオペレータは、図１２Ｂに示される構成のような、ＵＬのみ構成に周波数分割複信（ＦＤＤ）送信時間間隔（ＴＴＩ）バンドリングを適用することによって、そのボイスオーバＬＴＥ（ＶｏＬＴＥ）性能を改善することができ得る。例えば、ＴＤＤオペレータは、ＴＤＤ  ＵＬカバレージがボトルネックとして働き得るので、ＵＬ重構成を使用することによってそのカバレージを改善することができ得る。
【００６７】
[0084]しかしながら、いくつかの場合では、ＵＬ重サブフレーム構成を使用するとき、ＵＬ−ＴＤＤ構成は、プライマリ同期信号（ＰＳＳ）／セカンダリ同期信号（ＳＳＳ）を搬送するためにＤＬリソースを十分に有し得ない。さらに、ＵＬ重ＴＤＤ構成を持つＵＬスケジューリングとＨＡＲＱとを実装するのが困難になり得る。
【００６８】
[0085]ある態様に従って、ＵＬ重構成がセカンダリコンポーネントキャリア（ＳＣＣ）上で使用されている場合、プライマリコンポーネントキャリア（ＰＣＣ）上で動的なシグナリング（例えば、ＨＡＲＱおよびスケジューリング）を搬送することによって、キャリアアグリゲーション（ＣＡ）シナリオにおける、ＳＣＣ上のＵＬ重サブフレーム構成を使用することによって、これらの問題を緩和することが可能になり得る。
【００６９】
[0086]図１４Ａおよび１４Ｂは、ＵＬ重ＴＤＤ構成を使用するとき、ＨＡＲＱおよびスケジューリング情報に対する潜在的な問題を緩和するために存在し得る異なるシナリオを示す。例えば、図１４Ａに説明されるような第１のシナリオでは、ＦＤＤは、ＰＣＣ上で使用され、ＴＤＤは、ＳＣＣ上で使用され得る。ある態様に従って、既存の７つの構成のうちの少なくとも１つがＳＣＣのために選択されるとき、それは、ＦＤＤ＋ＴＤＤ  ＣＡのケースであり得る。この例では、セカンダリセル（Ｓセル）（つまり、ＳＣＣを搬送するセル）のＰＤＳＣＨタイミングは、プライマリセル（Ｐｃｅｌｌ）（つまり、ＰＣＣを搬送するセル）に続き得る。しかしながら、以上で議論されるように、Ｓセル物理アップリンク制御チャネル（ＰＵＳＣＨ）タイミングは、セル基準構成のタイミングに続く必要があり得る。いくつかの場合では、ＵＬ重構成がＳＣＣのために選択されるとき、それは、ＦＤＤ＋ＦＤＤ（ＵＬのみ）ＣＡのケースにより類似し得る。したがって、ある態様に従って、ＳＣＣのＰＵＳＣＨタイミングは、ＨＡＲＱのためのＦＤＤ＋ＦＤＤ  ＣＡの既存のメカニズムを再使用することができる。
【００７０】
[0087]図１４Ｂに示されるように、ＨＡＲＱおよびスケジューリング情報に対する潜在的な問題を緩和する追加のシナリオは、ＰＣＣ上でＴＤＤを、そしてＳＣＣ上でＴＤＤを使用することであり得る。このシナリオを実装するためにいくつかの方法があり得る。例えば、１つの実装では、物理ダウンリンク共有チャネル（ＰＤＳＣＨ）およびＰＵＳＣＨタイミングは、ＴＤＤ  ＰＣＣの基準構成に続き得る。第２の実装では、既存の７つの構成（つまり、図８の表８００に示されるもの）のうちの少なくとも１つがＳＣＣのために選択されるとき、ＴＤＤ＋ＴＤＤクロス−キャリアスケジューリングの既存のメカニズムが続き得る。ある態様に従って、ＵＬ重構成がＳＣＣのために選択されるとき、それは、ＴＤＤ＋ＦＤＤ（ＵＬのみ）ＣＡのケースに類似し得、以上で言及するように、ＳＣＣのＰＵＳＣＨタイミングは、設定可能な基準構成を使用し得る。例えば、基準構成は、ＰＣＣのシステム情報ブロック１（ＳＩＢ−１）サブフレーム構成、または多くの数のＵＬサブフレーム（例えば構成＃０）を有する既存のサブフレーム構成であり得る。
【００７１】
[0088]以上で言及するように、ＵＬ重ＴＤＤ構成を使用する時、ＰＳＳ／ＳＳＳは、ＰＣＣ上で搬送され得る。ある態様に従って、ＳＣＣのＬ１再構成シグナリングは、２つの追加のＵＬ重サブフレーム構成を適合するために、４ビットまで延長される必要があり得る。さらに、ＣＡ＋ｅＩＭＴＡのＨＡＲＱタイムラインが複雑なので、動作上の複雑さを低減するために、頻繁に選択された構成に基づく制約基準構成セットを導入することが可能であり得る。例えば、基準構成サブセットは、無線通信リソース制御（ＲＲＣ）シグナリングを通じて半静的に構成され得、対応するＨＡＲＱ動作（つまりタイミング）は、構成サブセットに結び付けられ得る。
【００７２】
[0089]いくつかの場合では、以上で言及されるように、ｅＩＭＴＡのためのＵＬ重ＴＤＤ構成を実装することは、ｅＩＭＴＡ性能を大幅に増加させ得る。例えば、約３０−６０％の性能利得がＵＬ重ＴＤＤ構成を実装することによって、ＵＬにおいて達成されることが推定される。さらに、いくつかの場合では、ＵＬ重ＴＤＤ構成を実装することは、ＳＣＣにおけるさらなるスケジューリング柔軟性を提供し、ＦＤＤのいくつかの利点がＴＤＤオペレータと共有されることを可能にし得る。さらに、いくつかの場合では、共有アクセス無線周波スペクトル（例えば、ＬＴＥ−Ｕ）のＦＤＤ補足ダウンリンク（ＳＤＬ：supplemental downlink）のための需要は、ＴＤＤによってカバーされ得る。例えば、ＳＣＣは、ＤＬ重構成（例えばＣＦＧ＃５：  ＤＬ：ＵＬ：ＳＳＦ＝８：１：１）およびＵＬ重構成の両方を選択し得る。いくつかの場合では、ＳＣＣが高周波帯域中で動作するので、ＤＬ重構成およびＵＬ重構成の両方を選択することは、ＳＣＣにおけるｅＩＭＴＡ利得を増加させ得、したがって、さらに分離されたシナリオが存在し得る。
【００７３】
[0090]上述された方法の様々な動作は、対応する機能を実行することが可能である任意の適した手段によって実行され得る。手段は、回路、特定用途向け集積回路（ＡＳＩＣ）、またはプロセッサを含むがそれらに限定されない、様々なハードウェアおよび／またはソフトウェアコンポーネントおよび／またはモジュールを含み得る。概して、図中に示される動作が存在する場合、それらの動作は、同様の番号を持つ対応する対照のミーンズプラスファンクションコンポーネントを有しうる。
【００７４】
[0091]例えば、参加するための手段は、図６中において示されるｅＮＢ６１０の送信機／受信機（例えば、送信機／受信機６１８）および／またはアンテナ６２０を備え得る。参加のための手段はまた、図６中において示されるＵＥ６５０の送信機／受信機（例えば、送信機／受信機６５４）および／またはアンテナ６５２を備えうる。
【００７５】
[0092]構成するための手段は、図６中に示される、ｅＮＢ６１０の、送信機／受信機（例えば送信機／受信機６１８）、アンテナ６２０、および／または１つまたは複数のプロセッサ（例えば、ＴＸプロセッサ６１６および／または、制御器／プロセッサ６７５）を備え得る。
【００７６】
[0093]受信する（または取得する）ための手段は、図６中に示される、ＵＥ６５０の、受信機（たとえば、送信機／受信機６５４）および／またはアンテナ６５２、または図６に描かれる、ｅＮＢ６１０の、送信機／受信機６１８および／またはアンテナ６２０を備え得る。
【００７７】
[0094]ある特定の態様に従って、そのような手段は、（例えば、ハードウェア内においてまたはソフトウェア命令を実行することによって）様々なアルゴリズムを実装することによって対応する機能を実行するように構成される処理システムによって実装され得る。
【００７８】
[0095]本明細書で使用されるように、用語「決定すること」は、多種多様な動作を網羅する。例えば、「決定すること」は、算出すること、計算すること、処理すること、導出すること、調査すること、ルックアップすること（例えば、テーブル、データベースまたは別のデータ構造においてルックアップすること）、確かめること、等を含み得る。また、「決定すること」は、受信すること（例えば、情報を受信すること）、アクセスすること（例えば、メモリ内のデータにアクセスすること）、等を含み得る。また、「決定すること」は、解決すること、選択すること、選ぶこと、確立すること、等を含み得る。
【００７９】
[0096]本明細書で使用されるように、用語「出力すること」は、実際の送信、または送信のためにあるエンティティ（例えば、処理システム）から別のエンティティ（例えば、ＲＦフロントエンドまたはモデム）への構造の出力を含み得る。本明細書で使用されるよう、用語「取得すること」は、無線にわたって送信された構造を実際に受信すること、またはあるエンティティ（例えば、処理システム）による構造を別のエンティティ（例えば、ＲＦフロントエンドまたはモデム）から取得することを含み得る。
【００８０】
[0097]本明細書で使用されるように、項目のリスト「のうちのすくなくとも１つ」を引用するフレーズは、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーし、さらに複数の同じ要素との任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃまたはａ、ｂ、およびｃの任意の他の順序）をカバーするように意図される。
【００８１】
[0098]本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、離散ゲートまたはトランジスタ論理、離散ハードウェアコンポーネントあるいは本明細書で説明された機能を遂行するように設計されたそれらの任意の組み合わせを用いて実装または実行され得る。汎用プロセッサは、マイクロプロセッサでありうるが、代替において、プロセッサは、任意の市販のプロセッサ、コントローラ、マイクロコントローラ、またはステートマシンであり得る。プロセッサはまた、計算デバイスの組み合わせ、例えば、ＤＳＰおよびマイクロプロセッサの組み合わせ、複数のマイクロプロセッサ、ＤＳＰコアと連携した１つまたは複数のマイクロプロセッサ、または任意の他のそのような構成として実装され得る。
【００８２】
[0099]本開示に関連して説明された方法またはアルゴリズムのステップは、ハードウェアで直接的に、またはプロセッサによって実行されるソフトウェアモジュールで、または両者の組み合わせで、具現化され得る。ソフトウェアモジュールは、当該技術で知られている任意の形態の記憶媒体中に存在し得る使用され得る記憶媒体のいくつかの例には、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブル・ディスク、ＣＤ−ＲＯＭ、等が含まれる。ソフトウェアモジュールは、単一の命令または多数の命令を備えることがあり得、いくつかの異なるコードセグメントにわたって、異なるプログラム間で、および複数の記憶媒体にわたって、分散されることがあり得る。記憶媒体は、プロセッサが記憶媒体から情報を読み取り、記憶媒体に情報を書き込むことができるように、プロセッサに結合され得る。あるいは、記憶媒体は、プロセッサに組み込まれ得る。
【００８３】
[00100]本明細書において開示される方法は、説明された方法を達成するための１つまたは複数のステップを備える。方法ステップおよび／あるいはアクションは、請求項の範囲から逸脱することなくお互いと交換され得る。すなわち、ステップまたは動作の特定の順序が指定されない限り、特定のステップおよび／または動作の順序および／または使用は、本願の特許請求の範囲から逸脱せずに変更され得る。
【００８４】
[00101]説明された機能は、ハードウェア、ソフトウェア、ファ−ムウェア、またはそれらの任意の組合せに実装され得る。ハードウェアで実施された場合、例としてのハードウェアの構成は無線ノード内の処理システムを備え得る。処理システムは、バスアーキテクチャと共に実装され得る。バスは、処理システムの特定のアプリケーションと全体の設計の制約に依存するいくつかの相互に接続されたバスとブリッジを含み得る。バスは、プロセッサ、機械可読媒体、およびバスインターフェースを含む様々な回路を共につなぎ得る。バスインターフェースは、他の物のうちで、ネットワークアダプタをバスを介した処理システムに接続するために使用され得る。ネットワークアダプタは、物理（ＰＨＹ）レイヤの信号処理機能を実装するために使用され得る。ユーザ端末１１５（図１を参照）の場合、ユーザインターフェース（たとえば、キーパッド、ディスプレイ、マウス、ジョイスティック、等）はまた、バスに接続されることができる。バスはまた、タイミングソース、周辺機器、電圧レギュレータ、電力管理回路、等といったさまざまな他の回路をリンクさせることができるが、これらの回路は、当該技術においてよく知られているので、これ以上説明しない。
【００８５】
[00102]プロセッサは、バスを管理することと汎用処理に関与し得、機械可読媒体に格納されたソフトウェアを実行することを含む。プロセッサは、１つまたは複数の汎用目的および／または特別目的プロセッサとともに実装され得る。例は、マイクロプロセッサ、マイクロコントローラ、ＤＳＰプロセッサ、およびソフトウェアを実行可能な他の回路を含む。ソフトウェアは、ソフトウェア、ファームウェア、ミドルウェア、マイクロコード、ハードウェア記述言語と呼ばれる場合も、その他の名称で呼ばれる場合も、命令、データ、またはそれらの任意の組み合わせを意味するものとして広く解釈されるべきである。機械可読媒体は、例として、ＲＡＭ（ランダムアクセスメモリ）、フラッシュメモリ、ＲＯＭ（読み取り専用メモリ）、ＰＲＯＭ（プログラマブル読み取り専用メモリ）、ＥＰＲＯＭ（消去可能なプログラマブル読み取り専用メモリ）、ＥＥＰＲＯＭ（電気的に消去可能なプログラマブル読み取り専用メモリ）、レジスタ、磁気ディスク（disk）、光ディスク、ハードドライブ、または任意の他の適切な記憶媒体、またはそれらの任意の組合せを含み得る。機械可読媒体は、コンピュータプログラム製品において具体化され得る。コンピュータプログラム製品は、梱包材を備え得る。
【００８６】
[00103]ハードウェア実装では、機械可読媒体は、プロセッサから分離した処理システムの一部であり得る。しかしながら、当業者は、機械可読媒体、またはそれらの任意の部分が処理システムの外部にあり得ることを容易に理解するだろう。例として、機械可読媒体は、送信路、データによって変調された搬送波、および／または無線ノードから分離したコンピュータ・プロダクトを含み得、それらの全てはバスインターフェースを経由してプロセッサによってアクセスされ得る。代替として、またはそれに加えて、機械可読媒体、またはそれらの任意の部分は、プロセッサに組み込まれ得、こういった場合は、キャッシュおよび／または汎用レジスタファイルを伴い得る。
【００８７】
[00104]処理システムは、プロセッサ機能を提供する１つまたは複数のマイクロプロセッサを有する汎用目的処理システムおよび機械可読媒体の少なくとも一部を提供する外部メモリとして構成され得、それらは全て、外部バスアーキテクチャを経由して回路を支援するその他とつなげられる。代替として、処理システムは、プロセッサを有するＡＳＩＣ（特定用途向け集積回路）、バスインターフェース、（アクセス端末の場合のユーザインターフェース）、支援回路、および単一チップに統合された機械可読媒体の少なくとも一部と共に実装されるか、または１つまたは複数のＦＰＧＡ（フィールドプログラマブルゲートアレイ）、ＰＬＤ（プログラマブル論理デバイス）、コントローラ、ステートマシーン、ゲート論理、ディスクリート・ハードウェアコンポーネント、または任意の他の適切な回路、または本開示を通じて説明された様々な機能を実行可能な回路の任意の組合せと共に実施され得る。当業者は、特定アプリケーションおよび全体のシステムに課せられた全体の設計制約に依存する処理システムのために記載された機能を実装することがいかに適しているかを認めるだろう。
【００８８】
[00105]機械可読媒体は、いくつかのソフトウェアモジュールを備え得る。ソフトウェアモジュールは、プロセッサによって実行されるとき、処理システムに様々な機能を実行させる命令を含む。ソフトウェアモジュールは、送信モジュールと受信モジュールを含み得る。各ソフトウェアモジュールは、単一の記憶デバイス内に存在し得るか、または多数の記憶デバイスを介して分散され得る。例として、ソフトウェアモジュールは、引き金となる事象が生じるとき、ハードドライブからＲＡＭにロードされ得る。ソフトウェアモジュールの実行中、プロセッサは、アクセス速度を増すためにキャッシュにいくつかの命令をロードし得る。１つまたは複数のキャッシュラインは次に、プロセッサによる実行のために汎用レジスタファイルにロードされ得る。下記でソフトウェアモジュールの機能に言及する場合、こういった機能は、そのソフトウェアモジュールからの命令を実行するときにプロセッサによって実施されることが理解されるだろう。
【００８９】
[00106]ソフトウェアに実装される場合、機能は、コンピュータ可読媒体上の１つまた複数の命令またはコードとして記憶または送信され得る。コンピュータ可読媒体は、コンピュータ記憶媒体と、ある場所から別の場所へコンピュータプログラムの転送を容易にする任意の媒体を含む通信媒体の両方を含む。記憶媒体は、コンピュータによってアクセス可能な任意の入手可能な媒体であり得る。限定ではなく例として、こういったコンピュータ可読媒体は、命令またはデータ構造の形式で所望のプログラムコードを搬送または記憶するために用いられることが可能であり、およびコンピュータによってアクセス可能なＲＡＭ、ＲＯＭ、ＥＥＰＲＯＭ、ＣＤ−ＲＯＭまたは他の光学ディスク記憶装置、磁気ディスク記憶装置、他の磁気記憶装置、または任意の他の媒体を備えることができる。また、任意の接続は、厳密にはコンピュータ可読媒体と称される。例えば、ソフトウェアが、同軸ケーブル、光ファイバーケーブル、ツイストペア、デジタル加入者線（ＤＳＬ）、または赤外線（ＩＲ）、無線およびマイクロ波用いてウェブサイト、サーバ、または他の遠隔ソースから送信される場合、同軸ケーブル、光ファイバーケーブル、ツイストペア、ＤＳＬ、または赤外線、無線およびマイクロ波のような無線技術が、媒体の定義に含まれる。ディスク（disk）およびディスク（disc）は、本明細書で使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここにおいて、ディスク（disk）は通常、データを磁気的に再生するが、一方でディスク（disc）は、レーザーを用いて光学的にデータを再生する。したがって、いくつかの観点において、コンピュータ可読媒体は、非一時的なコンピュータ可読媒体（例えば、実体のある媒体）を備え得る。さらに、他の観点に関して、コンピュータ可読媒体は、一時的なコンピュータ可読媒体（例えば、信号）を備え得る。上記の組み合わせはまた、コンピュータ可読媒体の範囲に含まれるべきである。
【００９０】
[00107]したがって、特定の観点は、ここで表された動作を実行するためのコンピュータ・プログラム・プロダクトを備え得る。例えば、こういったコンピュータ・プログラム・プロダクトは、そこに格納された（および／またはエンコードされた命令）を有するコンピュータ可読媒体を備えても良く、その命令は、ここに記載された動作を実行するために１つまたは複数のプロセッサによって実行可能である。ある態様のために、コンピュータプログラム製品は、パッケージ材料を含み得る。
【００９１】
[00108]さらに、ここに記載された方法および技術を実行するためのモジュールおよび／または他の適切な手段は、適用可能なユーザ端末および／または基地局によってダウンロードおよび／またはさもなければ取得可能であることが評価されるべきである。例えば、こういったデバイスは、ここに記載された方法を実行するための手段の転送を容易にするためにサーバに接続されることができる。代替として、本明細書で説明された様々な方法は、デバイスに記憶手段を結合または提供する際にユーザ端末および／または基地局が様々な方法を取得することができるように、記憶手段（例えば、ＲＡＭ、ＲＯＭ、コンパクトディスク（ＣＤ）またはフロッピーディスクのような物理記憶媒体、等）を介して提供されることができる。さらに、ここで説明された方法および技法をデバイスに提供するためのその他任意の適切な技法が、利用され得る。
【００９２】
[00109]特許請求の範囲は、上記に例示された正確な構成およびコンポーネントに限定されるわけではないということが理解されるべきである。様々な修正、変更、および変形が、上記に説明された方法および装置の配置、動作および詳細において、特許請求の範囲から逸脱することなく行われ得る。
【図１】
2017510175.tif 000003
【図２】
2017510175.tif 000004
【図３】
2017510175.tif 000005
【図４】
2017510175.tif 000006
【図５】
2017510175.tif 000007
【図６】
2017510175.tif 000008
【図７】
2017510175.tif 000009
【図８】
2017510175.tif 000010
【図９】
2017510175.tif 000011
【図１０】
2017510175.tif 000012
【図１１】
2017510175.tif 000013
【図１２Ａ】
2017510175.tif 000014
【図１２Ｂ】
2017510175.tif 000015
【図１３Ａ】
2017510175.tif 000016
【図１３Ｂ】
2017510175.tif 000017
【図１４Ａ】
2017510175.tif 000018
【図１４Ｂ】
2017510175.tif 000019
【国際調査報告】
2017510175.tif 000020
2017510175.tif 000021
2017510175.tif 000022